(57)【要約】【課題】縦框から下框に渡る連続的な気密性を確保することのできる内倒し窓を提供する。【解決手段】框体の室外面は四周に渡って枠体の室外側気密材と当接する室外当接部５３、６３を有し、室内面は上框と左右の縦框６０の見付方向外側端部に枠体の室内側気密材と当接する室内当接部６４を有すると共に、下框５０は下面に下枠の傾斜案内部に摺動自在に当接する断面半円状のヒンジ部５４を有し、下框５０は端面を縦框６０の側面に突き合わせて固定し、縦框６０の下端面には下框５０のヒンジ部５４と断面形状が略同じ半円状のヒンジ延長部８１を有した下端キャップ８０が設けられ、下端キャップ８０のヒンジ延長部８１は下框５０のヒンジ部５４端面から縦框６０の室内当接部６４近傍に渡って設けられて下枠の傾斜案内部に摺動自在に当接する。【選択図】図５
2006226018.tif 000002
【特許請求の範囲】
【請求項１】
建物開口部に上下枠と左右の縦枠を方形状に枠組みしてなる枠体を設け、該枠体の内部に上下框と左右の縦框を方形状に框組みしてなる框体を設けると共に、該框体は上記枠体の下部に室内側に向かって傾倒自在に支持された内倒し窓において、
上記枠体は四周に渡って室外側気密材を備え、上記上枠と左右の縦枠の長手方向略全長に渡って室内側気密材を備えると共に、上記下枠の長手方向略全長に渡って断面半円状の傾斜案内部を備え、
上記框体の室外面は四周に渡って上記室外側気密材と当接する室外当接部を有し、室内面は上記上框と左右の縦框の見付方向外側端部に長手方向略全長に渡って上記室内側気密材と当接する室内当接部を有すると共に、上記下框は下面に上記下枠の傾斜案内部に摺動自在に当接する断面半円状のヒンジ部を有し、
上記下框は端面を上記縦框の側面に突き合わせて固定し、上記縦框の下端面には上記下框のヒンジ部と断面形状が略同じ半円状のヒンジ延長部を有した下端キャップが設けられ、該下端キャップのヒンジ延長部は上記下框のヒンジ部端面から上記縦框の室内当接部近傍に渡って設けられて上記下枠の傾斜案内部に摺動自在に当接することを特徴とする内倒し窓。
【請求項２】
上記縦框は内周面の長手方向略全長に渡ってガラス体を納める開口溝を備えると共に、該開口溝の底面より見付方向外側に上記室内当接部を有し、
上記下框は端面を上記縦框の開口溝の底面に突き合わせて固定され、上記下端キャップのヒンジ延長部は上記下框のヒンジ部から上記縦框の室内当接部に当接する上記縦枠の室内側気密材までを略連続状として下框から縦框に渡る連続的な気密ラインを形成することを特徴とする請求項１記載の内倒し窓。
【請求項３】
上記下端キャップは上記縦框の下端面に対する挿入部を有してなることを特徴とする請求項１または２記載の内倒し窓。
【発明の詳細な説明】
【技術分野】
【０００１】
本発明は、建物開口部に設けられる枠体内に室内側に向かって傾斜自在な框体を納めた内倒し窓に関し、特に枠体と框体を四周に渡って連続的に気密することのできる内倒し窓に関する。
【背景技術】
【０００２】
従来から建物開口部に枠体を設け、その内部に室内側に向かって傾斜自在な框体を納めてなる内倒し窓が知られている。内倒し窓としては、例えば特許文献１に挙げるようなものがある。
【特許文献１】特開平６−２００６７７号公報
【０００３】
内倒し窓の枠体には、框体の気密性及び水密性を確保するために四周に渡って気密材が設けられている。内倒し窓の框体は室内側に向かって開くため、枠体の気密材は室内側に向かって設けられる。また、二重に気密するため、枠体の室外側と室内側にそれぞれ気密材が設けられ、框体の室外面と室内面にそれぞれ形成された気密ラインに当接することで気密する。このように二重に気密材を設ける場合、内倒し自在な框体を気密するためには、室内側の気密材を見付方向外側に、室外側の気密材を見付方向内側に設ける。したがって、框体の室内面の気密ラインは、室外面の気密ラインより見付方向外側に設けられる。
【発明の開示】
【発明が解決しようとする課題】
【０００４】
内倒し自在な框体を二重に気密する場合、室内面の気密ラインは上述のように各框の見付方向外側に設けられることになるため、下框と縦框の連結部分において連続状に形成することが困難である。下框は縦框のガラス開口溝に挿入され、突き合わされて固定されるため、縦框の室内面の気密ラインが形成される見付方向外側の位置と、上框の室内面の気密ラインとの間には隙間が生じる。このように気密ラインに隙間が生じると、框体の気密性及び水密性が充分に確保できない。
【０００５】
本発明は、上記課題を解決すべくなされたものであり、縦框から下框に渡る連続的な気密性を確保することのできる内倒し窓を提供することを目的とする。
【課題を解決するための手段】
【０００６】
上記課題を解決するため、本発明に係る内倒し窓は、建物開口部に上下枠と左右の縦枠を方形状に枠組みしてなる枠体を設け、該枠体の内部に上下框と左右の縦框を方形状に框組みしてなる框体を設けると共に、該框体は上記枠体の下部に室内側に向かって傾倒自在に支持された内倒し窓において、
上記枠体は四周に渡って室外側気密材を備え、上記上枠と左右の縦枠の長手方向略全長に渡って室内側気密材を備えると共に、上記下枠の長手方向略全長に渡って断面半円状の傾斜案内部を備え、
上記框体の室外面は四周に渡って上記室外側気密材と当接する室外当接部を有し、室内面は上記上框と左右の縦框の見付方向外側端部に長手方向略全長に渡って上記室内側気密材と当接する室内当接部を有すると共に、上記下框は下面に上記下枠の傾斜案内部に摺動自在に当接する断面半円状のヒンジ部を有し、
上記下框は端面を上記縦框の側面に突き合わせて固定し、上記縦框の下端面には上記下框のヒンジ部と断面形状が略同じ半円状のヒンジ延長部を有した下端キャップが設けられ、該下端キャップのヒンジ延長部は上記下框のヒンジ部端面から上記縦框の室内当接部近傍に渡って設けられて上記下枠の傾斜案内部に摺動自在に当接することを特徴として構成されている。
【０００７】
また、本発明に係る内倒し窓は、上記縦框は内周面の長手方向略全長に渡ってガラス体を納める開口溝を備えると共に、該開口溝の底面より見付方向外側に上記室内当接部を有し、
上記下框は端面を上記縦框の開口溝の底面に突き合わせて固定され、上記下端キャップのヒンジ延長部は上記下框のヒンジ部から上記縦框の室内当接部に当接する上記縦枠の室内側気密材までを略連続状として下框から縦框に渡る連続的な気密ラインを形成することを特徴として構成されている。
【０００８】
さらに、本発明に係る内倒し窓は、上記下端キャップは上記縦框の下端面に対する挿入部を有してなることを特徴として構成されている。
【発明の効果】
【０００９】
本発明に係る内倒し窓によれば、框体下辺の気密性を確保するヒンジ部について、縦框の下端面に設ける下端キャップのヒンジ延長部により、ヒンジ部から縦框の室内当接部までを連続的に気密するようにしたことにより、下框のヒンジ部と縦框の室内当接部の間に生じる気密ラインの切れ目をなくすことができ、下框から縦框に渡る連続的な気密性を確保することができるので、框体の気密性を向上させることができる。
【００１０】
また、本発明に係る内倒し窓によれば、下框の端面を縦框の開口溝の底面に突き合わせ連結し、開口溝の底面位置まで設けられた下框のヒンジ部から縦框の室内当接部までを下端キャップのヒンジ延長部により略連続状として連続的な気密ラインを形成することにより、下框の端面が縦框の開口溝底面位置に配置され、下框のヒンジ部と縦框の室内当接部を接近させて下端キャップのヒンジ延長部を小さくすることができるので、下端キャップを小型化することができ、コストダウンを図ることができる。
【００１１】
さらに、本発明に係る内倒し窓によれば、下端キャップは縦框の下端面に対する挿入部を有してなることにより、下端キャップを縦框に対して容易に取付けることができる。
【発明を実施するための最良の形態】
【００１２】
本発明の実施形態について、図面に沿って詳細に説明する。図１は、第１の実施形態における内倒し窓の縦断面図、図２はその横断面図である。これら各図に示すように、本実施形態の内倒し窓は、建物開口部に方形状の枠体１を設け、この枠体１内に、框体２内部にグレチャン４を介してガラス体３を納めた障子５を、内倒し自在に納めてなるものである。
【００１３】
枠体１は、上枠１０と下枠２０及び左右の縦枠３０、３０を方形状に枠組みして構成されている。各枠は、基本的に金属材から構成され、室内端部には結露防止のための室内樹脂枠を四周に渡って設けている。具体的には、上枠１０は金属上枠１１からなり、室内端部に室内延出片１５ａを有した室内樹脂上枠１５を設けており、下枠２０は金属下枠２１からなり、室内端部に室内延出片２５ａを有した室内樹脂下枠２５を設けており、縦枠３０は金属縦枠３１からなり、室内端部に室内延出片３５ａを有した室内樹脂縦枠３５を設けている。
【００１４】
室内樹脂枠に形成された室内延出片１５ａ、２５ａ、３５ａは、枠体１の四周に渡って連続状とされており、サッシの室内側に設けられる額縁の納まりを良好にする。また、枠体１には外周面の室内外中間部に四周に渡ってフィン６が形成されており、これを建物躯体に当接させ、枠体１を固定する。
【００１５】
枠体１には、内部に納められる障子５の気密性を確保するための気密材７が四周に渡って設けられる。気密材７としては、枠体１の室外側に設けられる室外側気密材７ａと、枠体１の室内側に設けられる室内側気密材７ｂとが設けられ、二重に気密がなされるようにしている。ただし、下枠２０には室外側気密材７ａは設けられるものの、室内側気密材７ｂは設けられない。内倒し窓の場合、障子５は室内側に傾斜自在であるので、気密材７は室内側に向かって設けられる。また、障子５を開閉する際に気密材７が干渉しないように、室内側気密材７ｂは室外側気密材７ａよりも見付方向外側位置に設けられる。
【００１６】
上枠１０には、長手方向略全長に渡って見付方向内側に向かって突出する室外側突片１３と室内側突片１４とが形成されている。室内側突片１４は室外側突片１３よりも短く形成されており、各先端部には室内側に向かう気密材７として室外側気密材１３ａと室内側気密材１４ａとが設けられている。
【００１７】
下枠２０には、長手方向略全長に渡って見付方向内側に向かって突出する室外側突片２３と室内側突片２４とが形成されている。室外側突片２３の先端部には、室内側に向かう室外側気密材２３ａが設けられている。一方、室内側突片２４の先端部は、室内側に向かって円弧状に形成されており、障子５を支持する傾斜案内部２４ａとして構成されている。傾斜案内部２４ａには、框体２の下框５０に形成されるヒンジ部５４が当接し、このヒンジ部５４を介して障子５が内倒し自在とされる。このように、傾斜案内部２４ａが下框５０に直接当接していることにより、室内側気密材７ｂの代わりにサッシ下辺の気密性を確保している。
【００１８】
縦枠３０には、室外面から室内側に向かって突出する室外側突片３３と、側面から見付方向内側に向かって突出する室内側突片３４とが形成されている。室外側突片３３の先端部には室内側に向かう室外側気密材３３ａが、室内側突片３４の先端部には室内側に向かう室内側気密材３４ａが、それぞれ設けられている。また、室内側気密材３４ａが、室外側気密材３３ａよりも見付方向外側位置となるように、室外側突片３３と室内側突片３４とが形成されている。
【００１９】
障子５を構成する框体２には、枠体１の室外側気密材７ａ及び室内側気密材７ｂに対応して室外当接部と室内当接部とが形成されている。上框４０には、室外面の上端部に室外当接部４３が形成され、また室内面の上端部には見付方向外側に向かって延出する延出片４５が形成されると共に、その先端部に断面略Ｌ字状の室内当接部４４が形成されている。障子５を閉じた状態で、室外当接部４３は上枠１０の室外側気密材１３ａに当接し、室内当接部４４は上枠１０の室内側気密材１４ａに当接する。
【００２０】
下框５０には、室外面の下端部に室外当接部５３が形成され、障子５を閉じた状態で下枠２０の室外側気密材２３ａに当接する。また、下框５０の下面には、上述のように略半円形状のヒンジ部５４が形成され、これが下枠２０の傾斜案内部２４ａに摺動自在に当接して框体２を枠体１に対して内倒し自在とすると共に、下枠２０と下框５０の間の気密性を確保する。すなわち、ヒンジ部５４の下面によって気密ラインを構成している。ヒンジ部５４の室内側端部には、半円形状の中心方向に向かって突出するストッパ５４ａが形成されており、このストッパ５４ａがヒンジ部５４の端部に当接することで、障子５が閉じた状態よりもさらに室外側に傾斜することを防止している。
【００２１】
縦框６０には、室外面の外側端部に室外当接部６３が形成され、また室内面の外側端部には見付方向外側に向かって延出する延出片６５が形成されると共に、その先端部に断面略Ｌ字状の室内当接部６４が形成されている。障子５を閉じた状態で、室外当接部６３は縦枠３０の室外側気密材３３ａに当接し、室内当接部６４は縦枠３０の室内側気密材３４ａに当接する。
【００２２】
上框４０と縦框６０の連結部分及び下框５０と縦框６０の連結部分には、それぞれ室内当接部に切れ目が生じる。そこで、気密性を連続的に確保するため、それぞれ上端キャップ７０と下端キャップ８０を設ける。以下これらキャップについて説明する。
【００２３】
まず、上框４０と縦框６０の連結部分について説明する。図３には、上框４０と縦框６０を連結した状態の斜視図を示している。この図に示すように、上框４０はその端面を縦框６０に突き合わせて連結されている。縦框６０の内周面は、ガラス体３を納めることができるように略コ字状に形成されて開口溝６６を構成しており、その底面に上框４０の端面が当接し、端部が納められる。ただし、上框４０の室外面に形成された室外当接部４３は端部が室外側に露出するように縦框６０に対して勝った状態に配置される。したがって、上框４０の室外当接部４３と室内当接部４４は、いずれも縦框６０の外周面の位置まで設けられる。
【００２４】
縦框６０の室内当接部６４は、縦框６０の外周面よりも見付方向外側に位置しているため、そのままでは上框４０の室内当接部４４と連続せず、気密ラインに切れ目が生じる。この部分に上端キャップ７０を設けて上框４０の室内当接部４４と縦框６０の室内当接部６４を連続状とする。
【００２５】
上端キャップ７０は樹脂材からなり、縦框６０の上端面に取付けられるもので、上框４０の室内当接部４４及び縦框６０の室内当接部６４とそれぞれ連続状となる当接面部７１を備え、また縦框６０の上端面を塞ぐ上面被覆部７２と、上面被覆部７２の下部に設けられ縦框６０の端面から挿入固定するための挿入部７３とを有して形成されている。
【００２６】
図４には、上端キャップ７０を取付けた状態における上框４０と縦框６０の連結部分の斜視図を示している。この図に示すように、上端キャップ７０の当接面部７１は、上框４０の室内当接部４４及び縦框６０の室内当接部６４とそれぞれ略連続状となり、この部分における気密ラインを連続させている。すなわち、上端キャップ７０の当接面部７１は、障子５を閉じた状態で、上枠１０の室内側気密材１４ａに当接し、障子５の気密性を確保する。
【００２７】
このように、上框４０と縦框６０の連結部分に上端キャップ７０を取付けることにより、上框４０と縦框６０の間で生じる気密ラインの切れ目をなくし、連続的な気密をなすことができる。すなわち、内倒し窓の気密性を高めることができる。
【００２８】
次に、下框５０と縦框６０の連結部分について説明する。図５には下框５０と縦框６０を連結した状態の斜視図を示している。この図に示すように、下框５０はその端部が縦框６０の開口溝６６に納められ、かつ下框５０の端面を開口溝６６の底面に突き合わせて連結されている。下框５０の室外面に形成された室外当接部５３は端部が室外側に露出するように縦框６０に対して勝った状態に配置される。
【００２９】
一方、下框５０の室内側は、上述のようにヒンジ部５４により気密性が確保される。ここで、ヒンジ部５４は下框５０の端面まで形成されているので、ヒンジ部５４の端面は縦框６０の開口溝６６底面に突き合わされている。また、縦框６０の開口溝６６底面の下端部は、ヒンジ部５４の形状に合わせてアーチ状に切り欠かれている。縦框６０の室内当接部６４は、開口溝６６の底面よりも見付方向外側に位置しているため、そのままでは下框５０の気密ラインであるヒンジ部５４と連続せず、気密ラインに切れ目が生じる。この部分に下端キャップ８０を設けて下框５０のヒンジ部５４から縦框６０の室内当接部６４に当接する縦枠３０の室内側気密材３４ａまでを連続状とする。
【００３０】
下端キャップ８０は樹脂材からなり、縦框６０の下端面に取付けられるもので、下框５０のヒンジ部５４と断面形状が略同じであるヒンジ延長部８１を備え、また縦框６０の下端面を塞ぐ下面被覆部８２と、下面被覆部８２の上部に設けられ縦框６０の端面から挿入固定するための挿入部８３とを有して形成されている。
【００３１】
図６には、下端キャップ８０を取付けた状態における下框５０と縦框６０の連結部分の斜視図を示している。ヒンジ延長部８１は、一端面が縦框６０の開口溝６６底面に当接し、室内当接部６４の近傍位置まで設けられる。また、下框５０のヒンジ部５４と同様に下枠２０の傾斜案内部２４ａに摺動自在に当接して下框５０のヒンジ部５４と縦框６０の室内当接部６４との間の気密性を確保する。このように、下框５０と縦框６０の連結部分に下端キャップ８０を取付けることにより、下框５０と縦框６０の間で生じる気密ラインの切れ目をなくし、連続的な気密をなすことができる。すなわち、内倒し窓の気密性を高めることができる。
【００３２】
次に、本発明の第２の実施形態について説明する。図７には本実施形態における内倒し窓の縦断面図を、図８にはその横断面図を、それぞれ示している。これら各図に示す内倒し窓は、金属材の室内側に樹脂材を配設した複合サッシである。この複合サッシでは、障子５の金属材が第１の実施形態のものと同一であり、その室内面に板状の樹脂材を取付けてサッシの内観を向上させるようにしている。このため、断熱性能がそれほど必要とされない地域向けとして用いられる。
【００３３】
基本的なサッシの構成は第１の実施形態と同様であり、方形状の枠体１内に障子５を内倒し自在に納めてなるものである。枠体１は上枠１０と下枠２０及び左右の縦枠３０、３０を方形状に枠組みして構成され、障子５は上框４０と下框５０及び左右の縦框６０、６０を方形状に框組みした框体２内部にグレチャン４を介してガラス体３を納めて構成される。
【００３４】
上枠１０は、室外側の金属上枠１１と室内側の樹脂上枠１２とから構成される。金属上枠１１には第１の実施形態の上枠１０と同じ位置に同じ長さの室外側突片１３が形成され、その先端部には室外側気密材１３ａが室内側に向かって設けられる。また、樹脂上枠１２には第１の実施形態の上枠１０と同じ位置に同じ長さの室内側突片１４が形成され、その先端部には室内側気密材１４ａが室内側に向かって設けられる。
【００３５】
下枠２０は、室外側の金属下枠２１と室内側の樹脂下枠２２とから構成される。そして、上枠１０と同様に金属下枠２１には室外側突片２３が形成され、その先端部には室内側に向かう室外側気密材２３ａが設けられる。また、金属下枠２１には室内側突片２４が形成され、その先端部には傾斜案内部２４ａが形成される。
【００３６】
縦枠３０は、室外側の金属縦枠３１と室内側の樹脂縦枠３２とから構成される。そして、上枠１０と同様に金属縦枠３１には室外側突片３３が、樹脂縦枠３２には室内側突片３４が、それぞれ形成され、室外側突片３３の先端部には室外側気密材３３ａが、室内側突片３４の先端部には室内側気密材３４ａが、それぞれ設けられる。このような構成によって、金属材には室外側気密材７ａが四周に渡って設けられ、樹脂材には下枠２０以外の各枠に室内側気密材７ｂが設けられる。そして、室内側気密材７ｂは室外側気密材７ａよりも見付方向外側に位置している。
【００３７】
次に、框体２について説明する。上框４０は金属上框４１の室内面に板状の樹脂上框４２が取付けられてなり、下框５０は金属下框５１の室内面に板状の樹脂下框５２が取付けられてなる。また、縦框６０は金属縦框６１の室内面に板状の樹脂縦框６２が取付けられてなる。
【００３８】
上述のように、各金属框は第１の実施形態における各框と同一のものである。したがって、金属上框４１には室外当接部４３と室内当接部４４が、金属下框５１には室外当接部５３とヒンジ部５４が、金属縦框６１には室外当接部６３と室内当接部６４が、それぞれ形成されて、各室外当接部は枠体１の室外側気密材７ａに当接し、各室内当接部は枠体１の室内側気密材７ｂに当接する。また、金属下框５１のヒンジ部５４は下枠２０の傾斜案内部２４ａに摺動自在に当接する。
【００３９】
図９には上框４０と縦框６０の連結部分の斜視図を示す。この図に示すように、第１の実施形態と同様に上框４０と縦框６０の連結部分には当接面部７１を有する上端キャップ７０を設けて、上框４０の室内当接部４４と縦框６０の室内当接部６４とを連続させる。本実施形態の上端キャップ７０は、上面被覆部７２により金属縦框６１と樹脂縦框６２の上面を覆っているため、第１の実施形態における上端キャップ７０に比べて上面被覆部７２が室内外方向にやや幅広に形成されている。その他の点については第１の実施形態のものと同様であり、上面被覆部７２の下部には挿入部７３が形成されて金属縦框６１の上面から挿入固定される。
【００４０】
図１０には下框５０と縦框６０の連結部分の斜視図を示す。この図に示すように、第１の実施形態と同様に下框５０と縦框６０の連結部分にはヒンジ延長部８１を有する下端キャップ８０を設けて、下框５０のヒンジ部５４から縦框６０の室内当接部６４に当接する縦枠３０の室内側気密材３４ａまでを連続状とする。本実施形態の下端キャップ８０は、下面被覆部８２により金属縦框６１と樹脂縦框６２の下面を覆っているため、第１の実施形態における下端キャップ８０に比べて下面被覆部８２が室内外方向にやや幅広に形成されている。その他の点については第１の実施形態のものと同様であり、下面被覆部８２の上部には挿入部８３が形成されて金属縦框６１の下面から挿入固定される。
【００４１】
このように、複合サッシとした場合でも、上框４０と縦框６０の連結部分に上端キャップ７０を取付け、下框５０と縦框６０の連結部分に下端キャップ８０を取付けることにより、上框４０と縦框６０の間及び下框５０と縦框６０の間で生じる気密ラインの切れ目をなくし、連続的な気密をなすことができる。
【００４２】
次に、本発明の第３の実施形態について説明する。図１１には本実施形態における内倒し窓の縦断面図を、図１２にはその横断面図を、それぞれ示している。これら各図に示す内倒し窓は、金属材の室内側に樹脂材を配設した複合サッシである。第２の実施形態のものとは異なり、樹脂材は内部を中空状とされ厚みを有するように形成されている。このため、第２の実施形態の複合サッシに比べると断熱性能を高くすることができる。
【００４３】
図１１及び図１２に示すように、サッシの基本的な構成は第２の実施形態のものと同様である。そこで、共通する構成については説明を省略する。樹脂上框４２と樹脂下框５２及び樹脂縦框６２は、上述の通り断面中空状とされ厚みを有した形状とされている。このため、樹脂上框４２の室外面上端部が上枠１０の室内側気密材１４ａに当接する室内当接部４４を構成し、樹脂縦框６２の室外面外側端部が縦枠３０の室内側気密材３４ａに当接する室内当接部６４を構成する。
【００４４】
上框４０と縦框６０の連結部分においては、上框４０の室内当接部４４と樹脂縦框６２の室外面が略連続状となる。縦框６０の室内当接部６４も樹脂縦框６２の室外面に形成されているので、上框４０の室内当接部４４と縦框６０の室内当接部６４は連続状となる。したがって、上框４０と縦框６０の連結部分には第１及び第２の実施形態のような上端キャップ７０は不要である。
【００４５】
一方、下框５０と縦框６０の連結部分においては、下框５０の気密ラインについてはヒンジ部５４がそれを構成していることにより、第１及び第２の実施形態と同様に下端キャップ８０を設け、ヒンジ延長部８１により下框５０のヒンジ部５４から縦框６０の室内当接部６４に当接する縦枠３０の室内側気密材３４ａまでを連続状とする必要がある。図１３には下框５０と縦框６０の連結部分の斜視図を示す。
【００４６】
図１３に示すように、下端キャップ８０は下框５０のヒンジ部５４と断面形状が略同じである半円形のヒンジ延長部８１を備え、それがヒンジ部５４の端面から縦框６０の室内当接部６４近傍に渡って設けられる。ヒンジ部５４及びヒンジ延長部８１が下枠２０の傾斜案内部２４ａに摺動自在に当接することにより、サッシ下辺の気密性を確保している。
【００４７】
また、下端キャップ８０には、縦框６０の下端面を覆う下面被覆部８２と、その上部に設けられ縦框６０に挿入される挿入部８３とが形成されている点は第１及び第２の実施形態と同様である。
【００４８】
このように、樹脂材が中空状で断熱性の高い複合サッシにおいては、下框５０と縦框６０の連結部分にヒンジ延長部８１を有した下端キャップ８０を設けることで、下框５０から縦框６０に渡る連続的な気密性を確保することができる。
【００４９】
これまで本発明の実施形態について説明したが、本発明の適用はこれら実施形態には限られず、その技術的思想の範囲内において様々に適用されうるものである。
【図面の簡単な説明】
【００５０】
【図１】第１の実施形態における内倒し窓の縦断面図である。
【図２】第１の実施形態における内倒し窓の横断面図である。
【図３】上框と縦框の連結部分の斜視図である。
【図４】上端キャップを取付けた状態における上框と縦框の連結部分の斜視図である。
【図５】下框と縦框の連結部分の斜視図である。
【図６】下端キャップを取付けた状態における下框と縦框の連結部分の斜視図である。
【図７】第２の実施形態における内倒し窓の縦断面図である。
【図８】第２の実施形態における内倒し窓の横断面図である。
【図９】第２の実施形態における上端キャップを取付けた上框と縦框の連結部分の斜視図である。
【図１０】第２の実施形態における下端キャップを取付けた下框と縦框の連結部分の斜視図である。
【図１１】第３の実施形態における内倒し窓の縦断面図である。
【図１２】第３の実施形態における内倒し窓の横断面図である。
【図１３】第３の実施形態における下框と縦框の連結部分の斜視図である。
【符号の説明】
【００５１】
１    枠体
２    框体
３    ガラス体
５    障子
７    気密材
７ａ  室外側気密材
７ｂ  室内側気密材
１０    上枠
１３ａ  室外側気密材
１４ａ  室内側気密材
２０    下枠
２３ａ  室外側気密材
２４ａ  傾斜案内部
３０    縦枠
３３ａ  室外側気密材
３４ａ  室内側気密材
４０    上框
４３    室外当接部
４４    室内当接部
５０    下框
５３    室外当接部
５４    ヒンジ部
６０    縦框
６３    室外当接部
６４    室内当接部
７０    上端キャップ
７１    当接面部
７３    挿入部
８０    下端キャップ
８１    ヒンジ延長部
８３    挿入部
【図１】
2006226018.tif 000003
【図２】
2006226018.tif 000004
【図３】
2006226018.tif 000005
【図４】
2006226018.tif 000006
【図５】
2006226018.tif 000007
【図６】
2006226018.tif 000008
【図７】
2006226018.tif 000009
【図８】
2006226018.tif 000010
【図９】
2006226018.tif 000011
【図１０】
2006226018.tif 000012
【図１１】
2006226018.tif 000013
【図１２】
2006226018.tif 000014
【図１３】
2006226018.tif 000015